(57)【要約】【課題】  表示パネル部分の薄型化を図ったパネルアッセンブリ、および移動体の表示モジュールを提供すること。【解決手段】  パネルアッセンブリ１は、フレキシブル配線基板２１１を折り曲げてパネル制御基板１０１の一方の面１０１ａを封止基板１２の表面１２ａに当接させた状態で、一方の面１０１ａに配置されたコネクタ１２１が有機ＥＬパネル２の周縁の段差５０によりできるスペース５１に納まるようになっている。コネクタ１２１の厚さ分だけ有機ＥＬパネル２部分の薄型化を図ることができる。【選択図】      図３
2006243322.tif 000002
【特許請求の範囲】
【請求項１】
複数の走査線と複数のデータ線の交差に対応してマトリクス状に配置された複数の画素が形成された素子基板を有する表示パネルを備え、各画素の画像データに基づいて前記各画素を駆動するパネルアッセンブリにおいて、
前記各画素の駆動を制御するパネル制御回路が設けられたパネル制御基板と、前記素子基板の接続端子部に出力側端子部が、前記パネル制御回路に入力側端子部がそれぞれ電気的に接続された少なくとも一つのフレキシブル配線基板と、を備え、
前記フレキシブル配線基板を折り曲げて前記パネル制御基板の一方の面を前記表示パネルの裏面に当接させた状態で、前記一方の面に配置された電子部品が、前記表示パネルの周縁の段差によりできるスペースに納まるように構成したことを特徴とするパネルアッセンブリ。
【請求項２】
請求項１に記載のパネルアッセンブリにおいて、
前記フレキシブル配線基板は、電源供給線、データ供給線および制御信号線が形成された複合型のフレキシブル配線基板であり、前記複合型のフレキシブル配線基板の前記入力側端子部と接続されるコネクタが、前記パネル制御基板の前記一方の面に設けられており、前記フレキシブル配線基板を折り曲げて前記パネル制御基板の前記一方の面を前記表示パネルの裏面に当接させた状態で、前記コネクタが前記スペースに納まるように構成したことを特徴とするパネルアッセンブリ。
【請求項３】
請求項２に記載のパネルアッセンブリにおいて、
前記複数のデータ線を複数のブロックに分けて駆動するようになっており、前記複合型のフレキシブル配線基板は前記ブロックごとに設けられていることを特徴とするパネルアッセンブリ。
【請求項４】
請求項１に記載のパネルアッセンブリにおいて、
前記フレキシブル配線基板として、少なくとも電源供給線が形成された電源用フレキシブル配線基板と、該電源用フレキシブル配線基板に重ねて配置され、少なくともデータ供給線が形成されたデータ用フレキシブル配線基板とが設けられており、
前記電源用フレキシブル配線基板の出力側端子部と前記データ用フレキシブル配線基板の出力側端子部とは、前記素子基板上に前記データ線の並び方向に垂直な方向にずれた位置に設けられた電源線パッドとデータ線パッドにそれぞれ電気的に接続され、前記電源用フレキシブル配線基板の入力側端子部と前記データ用フレキシブル配線基板の入力側端子部とは、前記パネル制御基板の前記一方の面と他方の面とに設けられたコネクタにそれぞれ電気的に接続されており、
互いに重なった前記電源用フレキシブル配線基板と前記データ用フレキシブル配線基板を折り曲げて前記パネル制御基板の一方の面を前記表示パネルの裏面に当接させた状態で、前記一方の面に配置された前記コネクタが前記段差によりできるスペースに納まるように構成したことを特徴とするパネルアッセンブリ。
【請求項５】
請求項４に記載のパネルアッセンブリにおいて、
前記複数のデータ線を複数のブロックに分けて駆動するようになっており、前記電源用フレキシブル配線基板と前記データ用フレキシブル配線基板は前記ブロックごとに設けられていることを特徴とするパネルアッセンブリ。
【請求項６】
請求項１〜５のいずれか一つに記載のパネルアッセンブリにおいて、
前記フレキシブル配線基板は前記表示パネルの両側に複数個ずつ配置され、
前記表示パネルの両側に複数個ずつ配置された左右の前記フレキシブル配線基板には、前記パネル制御基板がそれぞれ接続されており、
前記左右のフレキシブル配線基板に接続された左右の前記パネル制御基板を、前記フレキシブル配線基板を折り曲げて前記表示パネルの裏面に当接可能にしたことを特徴とするパネルアッセンブリ。
【請求項７】
請求項１〜６のいずれか一つに記載のパネルアッセンブリにおいて、
前記表示パネルは前記各画素にエレクトロルミネッセンス素子を用いたエレクトロルミネッセンス表示パネルであり、前記エレクトロルミネッセンス表示パネルは、前記エレクトロルミネッセンス素子が形成された複数の画素を有する素子基板と、前記複数の画素を密封するように前記素子基板に接合される封止基板とを備え、前記段差は前記素子基板と該素子基板より外形の小さい前記封止基板との間の段差であることを特徴とするパネルアッセンブリ。
【請求項８】
請求項１〜７のいずれか一つに記載のパネルアッセンブリを複数備えた移動体の表示モジュールにおいて、
該複数のパネルアッセンブリは、隣合う２つの前記表示パネルのうち、一方の表示パネルの前記素子基板の端部が他方の表示パネルの前記段差によりできるスペースに位置するように配置されていることを特徴とする移動体の表示モジュール。
【発明の詳細な説明】
【技術分野】
【０００１】
本発明は、有機ＥＬパネル等の表示パネルを備えたパネルアッセンブリ、および、自動車等の車両、航空機、船舶、電車等の移動体に搭載され、移動体の速度、エンジン回転数、ナビゲーション装置の地図情報等を表示する移動体の表示モジュールに関する。
【背景技術】
【０００２】
近年、有機エレクトロルミネッセンス（以下、ＥＬという。）素子を用いた有機ＥＬパネルが、低消費比電力、高視野角、高コントラスト比で他の装置より優れているとして注目されている。こうした有機ＥＬパネルを用いた有機ＥＬ表示装置として、有機ＥＬパネルとこれに接続したフレキシブル配線基板とを備え、フレキシブル配線基板にドライバＩＣを実装し、このドライバＩＣにより複数の画素の各有機ＥＬ素子を駆動するようにした電子モジュールが知られている（例えば、特許文献１の図１４参照）。この有機ＥＬ表示装置では、有機ＥＬパネルの発光素子基板には、複数のデータ線の接続端子部であるデータ線パッドと複数の電源線の接続端子部である電源線パッドとが設けられている。
【特許文献１】特開２００４−１２７９２４号公報
【発明の開示】
【発明が解決しようとする課題】
【０００３】
ところで、上記特許文献１に記載されているような従来の有機ＥＬ表示装置では、有機ＥＬパネルのデータ線パッドと電源線パッドにフレキシブル配線基板の出力側端子部がそれぞれ電気的に接続される。また、データ線パッドと電源線パッドにそれぞれ接続されたフレキシブル配線基板の各入力側端子部には、有機ＥＬパネルを制御する制御回路等が電気的に接続される。このように、有機ＥＬパネルに、制御回路等と電気的に接続された複数のフレキシブル配線基板を接続する構成をとり、制御回路等が形成された基板を有機ＥＬパネルに重ねて装置全体の外形を小さくしようとすると、制御回路には各種の電子部品があるため、有機ＥＬパネルの部分が厚くなってしまう。このような問題は有機ＥＬ表示装置に限らない。他の表示装置でも、表示パネル部分をできるだけ薄くしたいという要求がある。
【０００４】
本発明は、このような従来の問題点に着目してなされたもので、その目的は、表示パネル部分の薄型化を図ったパネルアッセンブリ、および移動体の表示モジュールを提供することにある。
【課題を解決するための手段】
【０００５】
本発明における表示パネルは、複数の走査線と複数のデータ線の交差に対応してマトリクス状に配置された複数の画素が形成された素子基板を有する表示パネルを備え、各画素の画像データに基づいて前記各画素を駆動するパネルアッセンブリにおいて、前記各画素の駆動を制御するパネル制御回路が設けられたパネル制御基板と、前記素子基板の接続端子部に出力側端子部が、前記パネル制御回路に入力側端子部がそれぞれ電気的に接続された少なくとも一つのフレキシブル配線基板と、を備え、前記フレキシブル配線基板を折り曲げて前記パネル制御基板の一方の面を前記表示パネルの裏面に当接させた状態で、前記一方の面に配置された電子部品が、前記表示パネルの周縁の段差によりできるスペースに納まるように構成したことを要旨とする。
【０００６】
これによれば、フレキシブル配線基板を折り曲げてパネル制御基板の一方の面を表示パネルの裏面に当接させた状態で、その一方の面に配置された電子部品が表示パネルの周縁の段差によりできるスペースに納まるようにしたので、その電子部品の厚さ分だけ表示パ
ネル部分の薄型化を図ることができる。ここで、「表示パネル」は、例えば発光素子として有機ＥＬ素子を用いた有機ＥＬパネルである。「表示パネルの裏面」は、表示パネルが有機ＥＬパネルの場合、各有機ＥＬ素子で発光した光が出射する側の面とは反対側の面をいう。また、「表示パネルの周縁の段差」は、表示パネルが有機ＥＬパネルの場合には発光素子基板とこれに接合される封止基板との間の段差である。
【０００７】
このパネルアッセンブリにおいて、前記フレキシブル配線基板は、電源供給線、データ供給線および制御信号線が形成された複合型のフレキシブル配線基板であり、前記複合型のフレキシブル配線基板の前記入力側端子部と接続されるコネクタが、前記パネル制御基板の前記一方の面に設けられており、前記フレキシブル配線基板を折り曲げて前記パネル制御基板の前記一方の面を前記表示パネルの裏面に当接させた状態で、前記コネクタが前記スペースに納まるように構成したことを要旨とする。
【０００８】
これによれば、素子基板の接続端子部とパネル制御回路とが複合型のフレキシブル配線基板を介して接続される構成において、表示パネル部分の薄型化を図ることができる。ここで、「複合型のフレキシブル配線基板」とは、電源供給線、データ供給線および制御信号線を含む複数種類の配線が形成されている基板をいう。また、本明細書では、電源供給線と制御信号線のうち、少なくとも電源供給線が形成されている基板を「電源用フレキシブル配線基板」と呼び、データ供給線と制御信号線のうち、少なくともデータ供給線が形成されている基板を「データ用フレキシブル配線基板」と呼ぶ。
【０００９】
このパネルアッセンブリにおいて、前記複数のデータ線を複数のブロックに分けて駆動するようになっており、前記複合型のフレキシブル配線基板は前記ブロックごとに設けられていることを要旨とする。これによれば、複数のデータ線を複数のブロックに分けて駆動する場合にも、表示パネル部分の薄型化を図ることができる。
【００１０】
このパネルアッセンブリにおいて、前記フレキシブル配線基板として、少なくとも電源供給線が形成された電源用フレキシブル配線基板と、該電源用フレキシブル配線基板に重ねて配置され、少なくともデータ供給線が形成されたデータ用フレキシブル配線基板とが設けられており、前記電源用フレキシブル配線基板の出力側端子部と前記データ用フレキシブル配線基板の出力側端子部とは、前記素子基板上に前記データ線の並び方向に垂直な方向にずれた位置に設けられた電源線パッドとデータ線パッドにそれぞれ電気的に接続され、前記電源用フレキシブル配線基板の入力側端子部と前記データ用フレキシブル配線基板の入力側端子部とは、前記パネル制御基板の前記一方の面と他方の面とに設けられたコネクタにそれぞれ電気的に接続されており、互いに重なった前記電源用フレキシブル配線基板と前記データ用フレキシブル配線基板を折り曲げて前記パネル制御基板の一方の面を前記表示パネルの裏面に当接させた状態で、前記一方の面に配置された前記コネクタが前記段差によりできるスペースに納まるように構成したことを要旨とする。
【００１１】
これによれば、素子基板の電源線パッドとパネル制御回路が電源用フレキシブル配線基板を介して電気的に接続され、素子基板のデータ線パッドとパネル制御回路とが電源用フレキシブル配線基板と重なるデータ用フレキシブル配線基板を介して電気的に接続される構成において、表示パネル部分の薄型化を図ることができる。ここにいう「電源線パッド」は、素子基板上に形成され、各画素の画素回路に電源を供給する複数の電源線の各端子が接続された電源線専用の接続端子部である。また、複数の電源線は、表示パネルが有機ＥＬパネルの場合、Ｒ（赤色），Ｇ（緑色），Ｂ（青色）の各画素ごとに１本ずつ設けられる太い帯状の電源線とグランドの４種類である。また、「データ線パッド」は、素子基板上に形成され、複数のデータ線の各端子が接続されたデータ線専用の接続端子部である。
【００１２】
このパネルアッセンブリにおいて、前記複数のデータ線を複数のブロックに分けて駆動するようになっており、前記電源用フレキシブル配線基板と前記データ用フレキシブル配線基板は前記ブロックごとに設けられていることを要旨とする。これによれば、複数のデータ線を複数のブロックに分けて駆動する場合にも、表示パネル部分の薄型化を図ることができる。
【００１３】
このパネルアッセンブリにおいて、前記フレキシブル配線基板は前記表示パネルの両側に複数個ずつ配置され、前記表示パネルの両側に複数個ずつ配置された左右の前記フレキシブル配線基板には、前記パネル制御基板がそれぞれ接続されており、前記左右のフレキシブル配線基板に接続された左右の前記パネル制御基板を、前記フレキシブル配線基板を折り曲げて前記表示パネルの裏面に当接可能にしたことを要旨とする。これによれば、複数のデータ線を複数のブロックに分けて、左右のフレキシブル配線基板に接続された左右のパネル制御基板のパネル制御回路により駆動する場合にも、表示パネル部分の薄型化を図ることができる。特に、複数のデータ線を多数のブロックに分けて駆動する構成のパネルアッセンブに有効である。
【００１４】
このパネルアッセンブリにおいて、前記表示パネルは前記各画素にエレクトロルミネッセンス素子を用いたエレクトロルミネッセンス表示パネルであり、前記エレクトロルミネッセンス表示パネルは、前記エレクトロルミネッセンス素子が形成された複数の画素を有する素子基板と、前記複数の画素を密封するように前記素子基板に接合される封止基板とを備え、前記段差は前記素子基板と該素子基板より外形の小さい前記封止基板との間の段差であることを要旨とする。これによれば、エレクトロルミネッセンス表示パネルを備えたパネルアッセンブリにおいて、表示パネル部分の薄型化を図ることができる。
【００１５】
本発明における移動体の表示モジュールは、上記パネルアッセンブリを複数備え、該複数のパネルアッセンブリは、隣合う２つの前記表示パネルのうち、一方の表示パネルの前記素子基板の端部が他方の表示パネルの前記段差によりできるスペースに位置するように配置されていることを要旨とする。
【００１６】
これによれば、複数のパネルアッセンブリは、隣合う２つの表示パネルのうち、一方の表示パネルの素子基板の端部が他方の表示パネルの段差によりできるスペースに位置するように配置されているので、厚さの薄い移動体の表示モジュールを実現できる。また、隣合う表示パネルの非表示エリア同士が平面的に重なることになり、隣合う表示パネルの表示エリアが互いに近づくので、複数の表示パネルにより例えば車両のスピードメータ、タコメータ、カーナビゲーション装置の地図画面等の異なる画像を表示させる場合、通常のメータに近い表示が可能となる。ここで、「非表示エリア」は、いわゆる表示パネルの額縁であり、複数の画素が二次元に配置された表示エリアの周囲の領域をいう。
【発明を実施するための最良の形態】
【００１７】
以下、本発明を具体化した各実施形態を、図面に基づいて説明する。なお、各実施形態の説明において同様の部位には同一の符号を付して重複した説明を省略する。
（第１実施形態）
第１実施形態に係るパネルアッセンブリを図１〜図５に基づいて説明する。
【００１８】
第１実施形態に係るパネルアッセンブリ１は、表示パネルとして有機ＥＬパネル２を備えた有機ＥＬ表示装置である。有機ＥＬパネル２は、図１，図２および図４に示すように、発光素子としてエレクトロルミネッセンス素子である有機ＥＬ素子２２１をそれぞれ有する複数の画素２１０Ａがマトリクス状に配置された発光素子基板１１と、複数の画素２１０Ａを密封するように発光素子基板１１に接合された封止基板１２とを備える。有機ＥＬパネル２は、各画素２１０Ａの画像データに基づいて各画素２１０Ａの有機ＥＬ素子２
２１が駆動される。図１で符号１４は、複数の画素２１０Ａがマトリクス状に配置された表示エリアであり、符号１５はいわゆる額縁（非表示エリア）である。
【００１９】
素子基板としての発光素子基板１１には、図１では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２１０Ａの有機ＥＬ素子２２１が構成されている。なお、図４では複数の画素２１０Ａのうちの一つのみを示してある。
【００２０】
発光素子基板１１上には、図１および図４に示すように、各画素２１０Ａの画素回路２２０に電源を供給する複数の電源線の各端子と複数のデータ線Ｘ１〜Ｘｍの各端子の両方がそれぞれ接続された接続端子部４１１、４１２が設けられている。また、有機ＥＬパネル２は、複数のデータ線Ｘ１〜Ｘｍを２つのブロックに分けて駆動されるようになっている。すなわち、各行のｍ個の画素２１０Ａの各有機ＥＬ素子２２１が、２つのブロックに分けて駆動されるようになっている。そのため、接続端子部４１１と接続端子部４１２は各ブロックごとに設けられている。つまり、第１ブロックには接続端子部４１１が、第２ブロックには接続端子部４１２がそれぞれ設けられている。接続端子部４１１には、第１ブロックのデータ線Ｘ１〜Ｘ（ｍ／２）の各端子と、Ｒ，Ｇ，Ｂの各画素２１０Ａごとに画素回路２２０の電源ラインに接続される３本の電源線と、グランドの４本の電源線の各端子とが形成されている。また、接続端子部４１２には、第２ブロックのデータ線Ｘ（ｍ／２＋１）〜Ｘｍの各端子と、上記４本の電源線の各端子とが形成されている。
【００２１】
また、パネルアッセンブリ１は、上述した構成を有する有機ＥＬパネル２と、このパネルに接続される２つのフレキシブル配線基板２１１，２１２とを備える。これら２つのフレキシブル配線基板２１１，２１２は、電源供給線、データ供給線および制御信号線がそれぞれ形成された複合型のフレキシブル配線基板である。また、フレキシブル配線基板２１１，２１２には、２つのブロックのデータ線Ｘ１〜Ｘ（ｍ／２），Ｘ（ｍ／２＋１）〜Ｘｍをそれぞれ駆動するデータ線駆動回路としてのドライバＩＣ１０３ａ，１０３ｂが実装されている。
【００２２】
フレキシブル配線基板２１１，２１２の各出力側端子部は、発光素子基板１１上の接続端子部４１１，接続端子部４１２に、異方性導電膜の接着剤を介して電気的に接続されている。
【００２３】
また、パネルアッセンブリ１は、各画素２１０Ａの有機ＥＬ素子２２１の駆動を制御するパネル制御回路１００（図４参照）が設けられたパネル制御基板１０１を備える。このパネル制御回路１００には、フレキシブル配線基板２１１，２１２の各入力側端子部がそれぞれ電気的に接続される。
【００２４】
フレキシブル配線基板２１１の２つの入力側端子部は、図１に示すように、パネル制御基板１０１の一方の面１０１ａに設けられたコネクタ１２１，１２２にそれぞれ差し込まれて、パネル制御回路１００と電気的に接続される。また、フレキシブル配線基板２１２の２つの入力側端子部は、パネル制御基板１０１の一方の面１０１ａに設けられたコネクタ１２３，１２４にそれぞれ差し込まれて、パネル制御回路１００と電気的に接続されるようになっている。なお、パネル制御基板１０１の一方の面１０１ａは、パネル制御基板１０１を図１に示すように観音開きにした状態からフレキシブル配線基板２１１，２１２を図２に示すように折り曲げたときに有機ＥＬパネル２の裏面である封止基板１２の表面１２ａと当接する側の面をいう。
【００２５】
パネルアッセンブリ１は、フレキシブル配線基板２１１，２１２を折り曲げてパネル制御基板１０１の一方の面１０１ａを封止基板１２の表面１２ａに当接させた状態で、一方の面１０１ａに配置された電子部品としてのコネクタ１２１〜１２４が有機ＥＬパネル２の周縁の段差５０によりできるスペース５１に納まるようになっている（図３参照）。
【００２６】
パネル制御基板１０１の他方の面１０１ｂには、図２に示すように、パネル制御回路１００に外部の制御回路（図示省略）を電気的に接続するためのコネクタ１２７や、電子部品１２８が設けられている。パネル制御回路１００は、外部の制御回路から送られる制御信号、表示用画像データ、電源信号を使って有機ＥＬパネル２に表示をさせるための信号として、制御信号Ｏ、ドライブデータＰ、パネル電源Ｑ（図４参照）をそれぞれ出力するようになっている。
【００２７】
次に、有機ＥＬパネル２を備えたパネルアッセンブリ１の電気的構成を、図４および図５に基づいて説明する。
図４に示すパネルアッセンブリ１は、電流プログラム方式を採用している。このパネルアッセンブリ１は、有機ＥＬパネル２、データ線駆動回路として構成された２つのドライバＩＣ１０３ａ，１０３ｂ、走査線駆動回路１０６Ｌ，１０６Ｒ、及びパネル制御回路１００を備えている。
【００２８】
有機ＥＬパネル２は、図４に示すように、行方向に延びるｎ本の第１走査線Ｙ１〜Ｙｎ（ｎは整数）と列方向に延びるｍ本のデータ線Ｘ１〜Ｘｍ（ｍは整数）との交差に対応する個所にｎ行ｍ列に配列された複数の画素２１０Ａを有している。また、有機ＥＬパネル２は、行方向に延びるｎ本の第２走査線Ｙ１１〜Ｙｎ１を有している。複数の画素２１０Ａは、例えば、Ｒ，Ｇ，Ｂの順に赤用画素，緑用画素及び青用画素が配置されている。また、複数のデータ線Ｘ１〜Ｘｍを２つのブロックに分けて、各ブロックのデータ線を２つのドライバＩＣ１０３ａ，１０３ｂで分担して駆動するようになっている。ドライバＩＣ１０３ａはデータ線Ｘ１〜Ｘ（ｍ／２）を、ドライバＩＣ１０３ｂはデータ線Ｘ（ｍ／２＋１）〜Ｘｍをそれぞれ駆動するようになっている。
【００２９】
走査線駆動回路１０６Ｌは、外部供給される同期信号Ｓｙｎｃ、クロック信号ｃｌｏｃｋに応じたタイミングで、Ｈレベルのプログラム期間選択信号Ｖｐｒｇ（図５（ａ），（ｂ）参照）を順に生成して出力することで、第１走査線Ｙ１〜Ｙｎを線順次走査により一つずつ順に選択するようになっている。図５（ｂ）では、第１走査線Ｙ１〜Ｙｎのうち、第１行目の第１走査線Ｙ１にプログラム期間選択信号Ｖｐｒｇが出力されるプログラム期間（ｔ１時点からｔ２時点までの期間）のみを示してある。
【００３０】
走査線駆動回路１０６Ｒは、外部供給される同期信号Ｓｙｎｃ、クロック信号ｃｌｏｃｋに応じたタイミングで、Ｈレベルの発光期間選択信号Ｖｒｅｐ（図５（ｂ）参照）を順に生成して出力することで、第２走査線Ｙ１１〜Ｙｎ１を線順次走査により一つずつ順に選択するようになっている。なお、図５（ｂ）では、第２走査線Ｙ１１〜Ｙｎ１のうち、第１行目の第２走査線Ｙ１１にＨレベルの発光期間選択信号Ｖｒｅｐが出力される発光期間（ｔ２時点からｔ３時点までの期間）のみを示してある。そして、ドライバＩＣ１０３ａ，１０３ｂは、上記プログラム期間に、選択された１本の第１走査線に接続された各画素回路２２０に、データ線Ｘ１〜Ｘｍをそれぞれ介してプログラム信号電流Ｉｓｉｇ（図５（ｂ）参照）を一斉に供給するようになっている。
【００３１】
各プログラム信号電流Ｉｓｉｇは、階調表示のためのｎビットのデジタル階調データである赤用，緑用及び青用の各画素の画像データを各ドライバＩＣ１０３ａ，１０３ｂ内でＤ−Ａ変換した電流信号である。本例では、各画素２１０Ａの画像データは、各画素の明
るさを８ビットの２進数で表わすデジタル階調データであり、０〜２５５の２５６段階の階調値をとる。
【００３２】
各ドライバＩＣ１０３ａ，１０３ｂは、図５に示すように、プログラム信号電流Ｉｓｉｇをデータ線Ｘ１〜Ｘｍを介して各画素回路２２０に書き込むためのデータ書き込み回路（サンプリング回路）、データ書き込み回路の動作タイミングをコントロールするシフトレジスタ、ラッチ回路、及びデジタル／アナログ変換器等を備える。ラッチ回路は、各画素の画像データを各画素ごとに設けたデータメモリ（図示省略）に格納して１行分の画像データを保持し、上記プログラム期間に、各データメモリに格納した画像データが一斉に読み出されてデジタル／アナログ変換器へ出力されるようになっている。
【００３３】
上述した赤用画素、緑用画素及び青用画素の各画素回路２２０は、有機半導体材料で構成された発光層から赤色，緑色および青色の光をそれぞれ放射する有機ＥＬ素子２２１を有している。各画素回路２２０は、各々の有機ＥＬ素子２２１から放射される光の色が異なる以外は、同じ回路構成である。
【００３４】
画素回路２２０の構成を図５（ａ）に基づいて説明する。
画素回路２２０は、駆動トランジスタＴｄｒ、プログラム用トランジスタＴｐｒｇ、プログラム時選択トランジスタＴｓｉｇ、発光時選択トランジスタＴｒｅｐ及び保持容量Ｃｓｔｇを有している。駆動トランジスタＴｄｒはＰチャネルＴＦＴで構成されている。プログラム用トランジスタＴｐｒｇ、プログラム時選択トランジスタＴｓｉｇ及び発光時選択トランジスタＴｒｅｐは、ＮチャネルＴＦＴでそれぞれ構成されている。
【００３５】
駆動トランジスタＴｄｒのドレインは発光時選択トランジスタＴｒｅｐを介して有機ＥＬ素子２２１の陽極に接続され、有機ＥＬ素子２２１の陰極は接地されている。また、駆動トランジスタＴｄｒのドレインはプログラム時選択トランジスタＴｓｉｇを介して１つのデータ線（図５（ａ）ではデータ線Ｘ１）に接続されている。また、駆動トランジスタＴｄｒのソースは高電位電源Ｖｄｄが上記電源線を介して供給される電源ラインに接続されている。さらに、駆動トランジスタＴｄｒのゲートは保持容量Ｃｓｔｇの第１の電極に接続され、その保持容量Ｃｓｔｇの第２の電極は高電位電源Ｖｄｄに接続されている。プログラム用トランジスタＴｐｒｇは、駆動トランジスタＴｄｒのゲート・ドレイン間に接続されている。
【００３６】
プログラム時選択トランジスタＴｓｉｇ及びプログラム用トランジスタＴｐｒｇの各ゲートは、第１走査線の１つ（同図ではＹ１）に接続されている。そして、プログラム時選択トランジスタＴｓｉｇ及びプログラム用トランジスタＴｐｒｇは、第１走査線Ｙ１からのＨレベルのプログラム期間選択信号Ｖｐｒｇに応答してオン状態となり、ＬレベルのＶｐｒｇに応答してオフ状態となる。そして、本実施形態では、プログラム時選択トランジスタＴｓｉｇ及びプログラム用トランジスタＴｐｒｇがオン状態となると、データ線Ｘ１に上記プログラム信号電流Ｉｓｉｇが供給されるようになっている。
【００３７】
発光時選択トランジスタＴｒｅｐのゲートは、第２走査線の１つ（同図ではＹ１１）に接続されている。また、発光時選択トランジスタＴｒｅｐは、第２走査線Ｙ１１からのＨレベルの発光期間選択信号Ｖｒｅｐに応答してオン状態となり、ＬレベルのＶｒｅｐに応答してオフ状態となる。そして、発光時選択トランジスタＴｒｅｐがオン状態になると、駆動トランジスタＴｄｒのオン状態に基づく駆動トランジスタ供給電流ＩｄｒをＯＬＥＤ供給電流Ｉｏｌｅｄとして有機ＥＬ素子２２１に供給するようになっている。
【００３８】
次に、各画素回路２２０の動作を、図５（ｂ）に基づいて簡単に説明する。
１．プログラム期間
いま、第１走査線Ｙ１からＨレベルのプログラム期間選択信号Ｖｐｒｇが供給されると、プログラム用トランジスタＴｐｒｇ及びプログラム時選択トランジスタＴｓｉｇはオン状態に設定される。このとき、第２走査線Ｙ１１からＬレベルの発光期間選択信号Ｖｒｅｐが供給されていて、発光時選択トランジスタＴｒｅｐはオフ状態に設定されている。このとき、データ線Ｘ１にプログラム信号電流Ｉｓｉｇが供給される。そして、プログラム用トランジスタＴｐｒｇがオン状態になることによって駆動トランジスタＴｄｒはダイオード接続となる。その結果、そのプログラム信号電流Ｉｓｉｇが、駆動トランジスタＴｄｒ→プログラム時選択トランジスタＴｓｉｇ→データ線Ｘ１という経路で流れる。このとき、駆動トランジスタＴｄｒのゲートの電位に対応した電荷が保持容量Ｃｓｔｇに蓄積される。
【００３９】
２．発光期間
この状態から、プログラム期間選択信号ＶｐｒｇがＬレベルとなり、発光期間選択信号ＶｒｅｐがＨレベルとなると、プログラム用トランジスタＴｐｒｇ及びプログラム時選択トランジスタＴｓｉｇがオフ状態に設定され、発光時選択トランジスタＴｒｅｐはオン状態に設定される。このとき、保持容量Ｃｓｔｇの電荷の蓄積状態は変化しないので、駆動トランジスタＴｄｒのゲート電位は、プログラム信号電流Ｉｓｉｇが流れたときの電圧に保持されている。従って、駆動トランジスタＴｄｒのソース・ドレイン間には、そのゲート電圧に応じた大きさの駆動トランジスタ供給電流Ｉｄｒ（ＯＬＥＤ供給電流Ｉｏｌｅｄ）が流れる。詳しくは、ＯＬＥＤ供給電流Ｉｏｌｅｄは、駆動トランジスタＴｄｒ→発光時選択トランジスタＴｒｅｐ→有機ＥＬ素子２２１という経路で流れる。これによって、有機ＥＬ素子２２１は、ＯＬＥＤ供給電流Ｉｏｌｅｄ（プログラム信号電流Ｉｓｉｇ）に応じた輝度で発光する。
【００４０】
このような動作が、第１走査線Ｙ２〜Ｙｎにそれぞれ接続された各画素回路２２０において順に行われて１フレーム分の表示がなされる。
このように、本実施形態に係るパネルアッセンブリ１は、マトリクス状に配置された複数の画素２１０Ａを備え、各画素２１０Ａに設けた有機ＥＬ素子２２１が８ビットのデジタル階調データである赤用，緑用及び青用の各画素の画像データに基づき駆動される。
【００４１】
以上のように構成された第１実施形態によれば、以下の作用効果を奏する。
○フレキシブル配線基板２１１，２１２を折り曲げてパネル制御基板１０１の一方の面１０１ａを封止基板１２の表面１２ａ（表示パネルの裏面）に当接させた状態で、その一方の面に配置されたコネクタ１２１〜１２４が有機ＥＬパネル２の周縁の段差５０によりできるスペース５１に納まるようにした（図２，図３参照）。このため、電子部品である各コネクタ１２１〜１２４の厚さ分だけ有機ＥＬパネル２部分の薄型化を図ることができる。
【００４２】
○発光素子基板１１の接続端子部４１１，４１２とパネル制御回路１００とが複合型のフレキシブル配線基板であるフレキシブル配線基板２１１，２１２を介して接続される構成において、有機ＥＬパネル２部分の薄型化を図ることができる。
【００４３】
○複合型のフレキシブル配線基板であるフレキシブル配線基板２１１，２１２は、複数のデータ線を２つのブロックに分けた各ブロックごとに設けられている。つまり、第１ブロックには接続端子部４１１が、第２ブロックには接続端子部４１２がそれぞれ設けられている。これにより、複数のデータ線を複数のブロックに分けて駆動する場合にも、有機ＥＬパネル２部分の薄型化を図ることができる。
【００４４】
（第２実施形態）
第２実施形態に係るパネルアッセンブリ１を図６〜図９に基づいて説明する。
このパネルアッセンブリ１では、有機ＥＬパネル２の発光素子基板１１上には、図６および図９に示すように、各画素２１０Ａの画素回路２２０に電源を供給する複数の電源線の各端子が形成された電源線パッド５０１〜５０４と、複数のデータ線Ｘ１〜Ｘｍの各端子が接続されたデータ線パッド４０１、４０２とが二次元に配置されている。データ線パッド４０１，４０２は発光素子基板１１の実装側端部（図９で下方の端部）に横に並んで配置されており、電源線パッド５０１〜５０４は発光素子基板１１上に、その実装側端部側から見てデータ線パッド４０１，４０２よりも奥にそれぞれ配置されている。
【００４５】
つまり、電源線パッド５０１〜５０４は、データ線パッド４０１，４０２の間に設けられたおらず、データ線パッド４０１，４０２の長手方向（図９で左右方向）に垂直な方向にずれた位置に配置されている。このようにデータ線パッド４０１，４０２が配置されている発光素子基板１１の実装側端部には、電源線パッド５０１〜５０４は無いので、データ線パッド４０１，４０２は、発光素子基板１１上で封止基板１２による左右の必要封止幅Ｄｇの間の領域全てを使って形成されている。ここで、「左右の必要封止幅Ｄｇの間の領域」とは、複数のデータ線の並び方向における発光素子基板１１の幅（図９で左右幅）のうち、左右の必要封止幅（２×Ｄｇ）を除く領域をいう。
【００４６】
また、有機ＥＬパネル２は、複数のデータ線Ｘ１〜Ｘｍを２つのブロックに分けて駆動されるようになっている。すなわち、各行のｍ個の画素２１０Ａの各有機ＥＬ素子２２１が、２つのブロックに分けて駆動されるようになっている。そのため、電源線パッド５０１〜５０４とデータ線パッド４０１，４０２は各ブロックごとに設けられている。つまり、第１ブロックにはデータ線パッド４０１と２つの電源線パッド５０１，５０２が、第２ブロックにはデータ線パッド４０２と２つの電源線パッド５０３，５０４がそれぞれ設けられている。
【００４７】
電源線パッド５０１，５０２は、発光素子基板１１上に、その実装側端部側から見てデータ線パッド４０１よりも奥にあって、データ線パッド４０１の両端部に対応する位置に配置されている。また、電源線パッド５０３，５０４も、発光素子基板１１上に、その実装側端部側から見てデータ線パッド４０２よりも奥にあって、データ線パッド４０２の両端部に対応する位置に配置されている（図９参照）。
【００４８】
データ線パッド４０１には、第１ブロックのデータ線Ｘ１〜Ｘ（ｍ／２）の各端子が形成されている。データ線パッド４０２には、第２のブロックのデータ線Ｘ（ｍ／２＋１）〜Ｘｍの各端子が形成されている。つまり、データ線パッド４０１、４０２には、ｍ／２本のデータ線の端子がそれぞれ形成されている。
【００４９】
電源線パッド５０１には、各行における、第１ブロックのデータ線Ｘ１〜Ｘ（ｍ／２）の半分のデータ線Ｘ１〜Ｘ（ｍ／４）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００５０】
電源線パッド５０２には、各行における、第１ブロックのデータ線Ｘ１〜Ｘ（ｍ／２）の残り半分のデータ線Ｘ（ｍ／４＋１）〜Ｘ（ｍ／２）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００５１】
電源線パッド５０３には、各行における、第２ブロックのデータ線Ｘ（ｍ／２＋１）〜Ｘ（ｍ）の半分のデータ線Ｘ（ｍ／２＋１）〜Ｘ（３ｍ／４）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００５２】
同様に、電源線パッド５０４には、各行における、第２ブロックのデータ線Ｘ（ｍ／２＋１）〜Ｘ（ｍ）の残り半分（３ｍ／４＋１）〜Ｘ（ｍ）にそれぞれ対応するｍ／４個の画素２１０Ａに含まれるＲ，Ｇ，Ｂの各画素２１０Ａごとに画素回路２２０の電源ラインに接続される３本の電源線と、グランドの４本の電源線の各端子が形成されている。
【００５３】
パネルアッセンブリ１は、図６に示すように、上述構成を有する有機ＥＬパネル２と、このパネルに接続される４つのフレキシブル配線基板とを備える。これら４つのフレキシブル配線基板として、２つのデータ用フレキシブル配線基板２０１，２０２と、２つの電源用フレキシブル配線基板３０１，３０２とが設けられている。
【００５４】
図９に示すように、電源用フレキシブル配線基板３０１，３０２には、各画素２１０Ａの画素回路２２０に電源を供給する複数の電源供給線３０１ａ，３０２ａがそれぞれ形成されている。電源用フレキシブル配線基板３０１は、一つの入力側端子部３０１ｂと、二股に分かれた２つの出力側端子部３０１ｃ、３０１ｄとを有する形状になっている。同様に、電源用フレキシブル配線基板３０２は、一つの入力側端子部３０２ｂと、二股に分かれた２つの出力側端子部３０２ｃ、３０２ｄとを有する形状になっている。
【００５５】
一方、データ用フレキシブル配線基板２０１，２０２には、２つのブロックのデータ線Ｘ１〜Ｘ（ｍ／２），Ｘ（ｍ／２＋１）〜Ｘｍをそれぞれ駆動するデータ線駆動回路としてのドライバＩＣ１０３ａ，１０３ｂが実装されている。また、データ用フレキシブル配線基板２０１，２０２には、複数の入力側配線２０１ａ，２０２ａと、複数の出力側配線２０１ｂ，２０２ｂが形成されている。
【００５６】
電源線パッド５０１，５０２には、図６および図９に示すように、電源用フレキシブル配線基板３０１の出力側端子部３０１ｃ、３０１ｄが、異方性導電膜の接着剤を介して熱圧着することで電気的に接続される。同様に、電源線パッド５０３，５０４には、電源用フレキシブル配線基板３０２の出力側端子部３０２ｃ、３０２ｄが、異方性導電膜の接着剤を介して熱圧着することで電気的に接続される。一方、データ線パッド４０１，４０２には、図６および図９に示すように、データ用フレキシブル配線基板２０１，２０２の出力側端子部２０１ｄ、２０２ｄが、異方性導電膜の接着剤を介して熱圧着することで電気的に接続される。
【００５７】
こうして、図６に示すように、電源用フレキシブル配線基板３０１とデータ用フレキシブル配線基板２０１、および電源用フレキシブル配線基板３０２とデータ用フレキシブル配線基板２０２が、それぞれ重なるように配置される。また、電源用フレキシブル配線基板３０１，３０２の各入力側端子部３０１ｂ，３０２ｂは、図６および図９に示すように、パネル制御基板１０１Ａの一方の面１０１ａに設けられたコネクタ１２５，１２６にそれぞれ差し込まれて、上記パネル制御回路１００（図４参照）と電気的に接続されるようになっている。
【００５８】
パネル制御回路１００は、図９に示すように、複数の電源供給線３０１ａ，３０２ａにパネル電源Ｑを供給し、複数の入力側配線２０１ａ，２０２ａに各画素の画像データに応じたドライブデータ（駆動信号）Ｐを供給し、各データ用フレキシブル配線基板２０１，２０２の制御信号線（図示省略）に制御信号Ｏを出力する。
【００５９】
データ用フレキシブル配線基板２０１の２つの入力側端子部２０１ｃは、パネル制御基板１０１Ａの他方の面１０１ｂに設けられたコネクタ１３１，１３２にそれぞれ差し込むことで、各入力側端子部２０１ｃがパネル制御回路１００と電気的に接続される（図７参照）。また、データ用フレキシブル配線基板２０２の２つの入力側端子部２０２ｃは、パ
ネル制御基板１０１Ａの他方の面１０１ｂに設けられたコネクタ１３３，１３４にそれぞれ差し込むことで、各入力側端子部２０２ｃがパネル制御回路１００と電気的に接続されるようになっている（図７参照）。
【００６０】
このように、電源用フレキシブル配線基板３０１，３０２の入力側端子部３０１ｂ，３０２ｂと、データ用フレキシブル配線基板２０１,２０２の入力側端子部２０１ｃ，２０
２ｃとは、パネル制御回路１００が形成されたパネル制御基板１０１Ａの異なる面１０１ａ，１０１ｂにそれぞれ設けられたコネクタに接続されるようになっている。
【００６１】
パネルアッセンブリ１は、電源用フレキシブル配線基板３０１とデータ用フレキシブル配線基板２０１、および電源用フレキシブル配線基板３０２とデータ用フレキシブル配線基板２０２を折り曲げてパネル制御基板１０１Ａの一方の面１０１ａを封止基板１２の表面１２ａに当接させることができる。この状態で、一方の面１０１ａに配置された電子部品としてのコネクタ１２５，１２６が有機ＥＬパネル２の周縁の段差５０によりできるスペース５１に納まるようになっている（図８参照）。
【００６２】
以上のように構成された第２実施形態によれば、以下の作用効果を奏する。
○発光素子基板１１の電源線パッド５０１〜５０４とパネル制御回路１００が電源用フレキシブル配線基板３０１，３０２を介して電気的に接続される。また、発光素子基板１１のデータ線パッド４０１，４０２とパネル制御回路１００とが、電源用フレキシブル配線基板３０１，３０２とそれぞれ重なるデータ用フレキシブル配線基板２０１，２０２を介して電気的に接続される。このような構成を有するパネルアッセンブリ１において、有機ＥＬパネル２部分の薄型化を図ることができる。
【００６３】
○電源線パッド５０１〜５０４とデータ線パッド４０１，４０２は、複数のデータ線を２つのブロックに分けた各ブロックごとに設けられている。つまり、第１ブロックにはデータ線パッド４０１と２つの電源線パッド５０１，５０２が、第２ブロックにはデータ線パッド４０２と２つの電源線パッド５０３，５０４がそれぞれ設けられている。これにより、複数のデータ線を複数のブロック（本例では２つのブロック）に分けて駆動する場合にも、有機ＥＬパネル２部分の薄型化を図ることができる。
【００６４】
（第３実施形態）
第３実施形態に係るパネルアッセンブリ１を図１０に基づいて説明する。
上記第２実施形態では、図８に示すように、データ用フレキシブル配線基板２０１，２０２の入力側端子部２０１ｃ、２０２ｃ（図９参照）をパネル制御基板１０１Ａのコネクタ１３１〜１３４に外側から差し込むようにしている。これに対して、第３実施形態では、図１０に示すように、データ用フレキシブル配線基板２０１，２０２の入力側端子部２０１ｃ、２０２ｃ（図９参照）を、パネル制御基板１０１Ａのコネクタ１３１〜１３４に内側から差し込むようにしている。その他の構成は、上記第２実施形態と同様である。
【００６５】
以上のように構成された第３実施形態によれば、上記第２実施形態と同様の作用効果を奏する。
（移動体の表示モジュール）
次に、上記各実施形態で説明したパネルアッセンブリを複数個用いて構成される移動体の表示モジュールの一実施形態を図１１〜図１４に基づいて説明する。本実施形態に係る移動体の表示モジュール９０は、一例として、上記第１実施形態で説明したパネルアッセンブリ１（図１および図２参照）を３つ用いて構成されている。
【００６６】
移動体の表示モジュール９０は、図１１および図１２に示すように、３つのパネルアッセンブリ１を備える。これら３つのパネルアッセンブリ１は、隣合う２つの有機ＥＬパネ
ル２のうち、一方の有機ＥＬパネル２の発光素子基板１１の端部１１ａ（図１２の拡大部参照）が他方の有機ＥＬパネル２の段差６０によりできるスペースに位置するように配置されている。その段差６０は、図１に示す上記段差５０と同様に有機ＥＬパネル２の周縁にできる段差で、段差５０の左右にできている。
【００６７】
また、３つのパネルアッセンブリ１は、図１１および図１２に示すように、ベースプレート５に固定されている。このベースプレート５は、図１３に示す車両２０のインストルメントパネル２１に取り付けられる。こうしてインストルメントパネル２１に取り付けられた移動体の表示モジュール９０の表面には、図１４の二点鎖線で示す樹脂製のパネルカバー８０が取り付けられる。このパネルカバー８０には、真中の有機ＥＬパネル２の表示エリア１４で表示されるスピードメータ用の円形開口部８１と、右側の有機ＥＬパネル２の表示エリア１４で表示されるタコメータ用の円形開口部８２と、左側の有機ＥＬパネル２で表示される画像用の矩形開口部８３とが設けられている。
【００６８】
このようにして車両２０のインストルメントパネル２１に搭載された移動体の表示モジュール９０では、例えば図１４に示すように、真中の有機ＥＬパネル２により、車速をアナログ表示するスピードメータの目盛り９１、数字９２および指針９３を表示する。また、右側の有機ＥＬパネル２によりエンジン回転数をアナログ表示するタコメータの目盛り９４、数字９５および指針９６を表示し、左側の有機ＥＬパネル２でカーナビゲーション装置の地図情報等の画像９７を表示する。左側の有機ＥＬパネル２では、テレビの画像やＤＶＤ装置の画像も表示できる。
【００６９】
また、移動体の表示モジュール９０では、図１３に示すように、真中の有機ＥＬパネル２で表示されるスピードメータの上部左右には、方向指示器４０の上下方向への操作により２つの発光ダイオードのいずれかが点滅する方向指示部４１，４２が設けられている。この方向指示部４１，４２は、ハザードスイッチ（図示省略）の操作により２つの発光ダイオードが同時に点滅する。
【００７０】
以上のように構成された移動体の表示モジュールによれば、以下の作用効果を奏する。
○３つのパネルアッセンブリ１は、隣合う２つの有機ＥＬパネル２のうち、一方の有機ＥＬパネル２の発光素子基板１１の端部１１ａが他方の有機ＥＬパネル２の段差６０によりできるスペースに位置するように配置されている（図１２参照）。このため、発光素子基板１１の厚さδ（図１２参照）の分だけ厚さが薄くなり、厚さの薄い移動体の表示モジュール９０を実現できる。また、隣合う有機ＥＬパネル２の非表示エリア１５同士が平面的に重なることになり、隣合う有機ＥＬパネル２の表示エリア１４が互いに近づく。このため、３つの有機ＥＬパネル２により例えば車両のスピードメータ、タコメータ、カーナビゲーション装置の地図画面等の異なる画像を表示させる場合、通常のメータに近い表示が可能となる。つまり、隣合う２つの有機ＥＬパネル２で表示されるスピードメータとタコメータの位置を、通常のメータによる表示と同程度に近づけることができる。
【００７１】
なお、この発明は以下のように変更して具体化することもできる。
・上記各実施形態では、フレキシブル配線基板を有機ＥＬパネル２の片側（発光素子基板１１の片側）に配置してあるが、本発明はこのような構成に限定されない。例えば、上記第１実施形態において、フレキシブル配線基板２１１，２１２と同様のフレキシブル配線基板を、有機ＥＬパネル２の両側に複数個ずつ配置するように構成しても良い。
【００７２】
また、上記第２実施形態において、互いに重なる電源用フレキシブル配線基板３０１とデータ用フレキシブル配線基板２０１を１組とすると、有機ＥＬパネル２の両側に、電源用フレキシブル配線基板３０１とデータ用フレキシブル配線基板２０１を複数組ずつ配置するように構成しても良い。
【００７３】
このような構成では、複数のデータ線を複数のブロックに分けて、有機ＥＬパネル２の両側に複数個ずつ或いは複数組ずつ配置した左右のフレキシブル配線基板に接続された左右のパネル制御基板１０１（或いは１０１Ａ）のパネル制御回路１００により駆動する。このような構成のパネルアッセンブリにおいても、上記各実施形態と同様に有機ＥＬパネル２部分の薄型化を図ることができる。特に、複数のデータ線を多数のブロックに分けて駆動する構成のパネルアッセンブに有効である。
【００７４】
・上記各実施形態では、パネル制御基板１０１，１０１Ａの一方の面１０１ａに設けたコネクタが有機ＥＬパネル２の周縁の段差５０によりできるスペース５１に納まるように構成したが、コネクタ以外の電子部品がそのスペース５１に納まるように構成してもよい。この構成によっても、その電子部品の厚さ分だけ有機ＥＬパネル２部分の薄型化を図ることができる。
【００７５】
・上記各実施形態では、表示パネルとして、パネルアッセンブリ１に用いる有機ＥＬパネル２を一例として説明したが、放電を用いた蛍光型のプラズマディスプレイに用いる表示パネル、電子放出素子を用いたディスプレイ（ＦＥＤ）やＳＥＤ（Surface−Conduction  Electron−Emitter  Display）に用いる表示パネルにも本発明は適用可能で、上記各
実施形態と同様の効果を得ることができる。
【００７６】
・上記第２実施形態では、有機ＥＬパネル２の発光素子基板１１に、データ線を２つのブロックに分け、各ブロックごとに一つのデータ線パッドと２つの電源線パッドを図９に示すように配置してある。本発明は、このような配置に限定されず、発光素子基板１１に、電源線パッドとデータ線パッドとが二次元に配置されている構成に広く適用可能である。
【００７７】
・上記第２実施形態では、データ線パッド４０１，４０２は発光素子基板１１の実装側端部に横に並んで配置され、電源線パッド５０１〜５０４はその実装側端部側から見てデータ線パッド４０１，４０２よりも奥にそれぞれ配置されている。本発明は、このような配置とは逆に、電源線パッド５０１〜５０４を発光素子基板１１の実装側端部に配置し、データ線パッド４０１，４０２を電源線パッド５０１〜５０４よりも奥に配置した構成にも適用可能である。この場合、４つの電源線パッド５０１〜５０４は、発光素子基板１１の実装側端部において、図９と同じように配置される。
【００７８】
・上記各実施形態ではデータ線を２つのブロックに分けて２つのドライバＩＣで分担して駆動しているが、本発明はこのような構成に限定されない。データ線を「２」以外に数のブロックに分けて駆動する構成にも本発明は適用可能である。
【００７９】
・上記各実施形態では、データ線Ｘ１〜Ｘｍを複数のブロックに分けた構成を一例として説明したが、データ線Ｘ１〜Ｘｍを一つのデータ線駆動回路（ドライバＩＣ）で駆動する構成にも本発明は適用可能である。
【図面の簡単な説明】
【００８０】
【図１】第１実施形態に係るパネルアッセンブリの開いた状態を示す斜視図。
【図２】同パネルアッセンブリの閉じた状態を示す斜視図。
【図３】図２のＡ−Ａ矢視断面図。
【図４】第１実施形態に係るパネルアッセンブリの電気的構成を示すブロック図。
【図５】（ａ）画素回路を示す回路図、（ｂ）動作を示すタイミングチャート。
【図６】第２実施形態に係るパネルアッセンブリの開いた状態を示す斜視図。
【図７】同パネルアッセンブリの閉じた状態を示す斜視図。
【図８】図７のＢ−Ｂ矢視断面図。
【図９】第２実施形態に係るパネルアッセンブリを一部分解して示した平面図。
【図１０】第３実施形態に係るパネルアッセンブリの主要部を示す断面図。
【図１１】移動体の表示モジュールを示す斜視図。
【図１２】同表示モジュールの側面図。
【図１３】同表示モジュールが実装された車両内部を示す斜視図。
【図１４】同表示モジュールの表示状態を示す平面図
【符号の説明】
【００８１】
Ｘ１〜Ｘｍ…データ線、１…パネルアッセンブリ、１１ａ…端部、１２…封止基板、５０，６０…段差、５１…スペース、９０…移動体の表示モジュール、１００…パネル制御回路、１０１，１０１Ａ…パネル制御基板、１０１ａ，１０１ｂ…面、１２１〜１２４，１２５〜１２７，１３１〜１３４…コネクタ、１２８…電子部品、２０１，２０２…データ用フレキシブル配線基板、２０１ｃ，２０２ｃ，３０１ｂ，３０２ｂ…入力側端子部、２０１ｄ，２０２ｄ，３０１ｃ，３０１ｄ，３０２ｃ，３０２ｄ…出力側端子部、２１０Ａ…画素、２１１，２１２…フレキシブル配線基板、３０１，３０２…電源用フレキシブル配線基板、３０１ａ，３０２ａ…電源供給線、４０１，４０２…データ線パッド、４１１，４１２…接続端子部、５０１〜５０４…電源線パッド。
【図１】
2006243322.tif 000003
【図２】
2006243322.tif 000004
【図３】
2006243322.tif 000005
【図４】
2006243322.tif 000006
【図５】
2006243322.tif 000007
【図６】
2006243322.tif 000008
【図７】
2006243322.tif 000009
【図８】
2006243322.tif 000010
【図９】
2006243322.tif 000011
【図１０】
2006243322.tif 000012
【図１１】
2006243322.tif 000013
【図１２】
2006243322.tif 000014
【図１３】
2006243322.tif 000015
【図１４】
2006243322.tif 000016